(57)【要約】【課題】  壁の厚みを薄くした状態でも十分な断熱効果が得られて、室内寸法をより大きく設定し得る壁構造を提供する。【解決手段】  表面材と、該表面材の内側に配置され表面材より熱貫流抵抗値の大きい断熱材と、該断熱材と表面材との間に配置された蓄熱材と、を備える。また、前記断熱材の裏側に配置され断熱材より熱貫流抵抗値の小さい裏面材と、該裏面材と断熱材との間に配置された蓄熱材と、を備える。前記蓄熱材は、蓄熱用カプセルが封入されたマット状に形成され、例えば断熱材の所定領域に部分的に配置される。【選択図】  図２
2007107247.tif 000002
【特許請求の範囲】
【請求項１】
表面材と、該表面材の裏側に配置され表面材より熱貫流抵抗値の大きい断熱材と、該断熱材と表面材との間に配置された蓄熱材と、を備えることを特徴とする壁構造。
【請求項２】
前記断熱材の裏側に配置され断熱材より熱貫流抵抗値が小さい裏面材と、該裏面材と断熱材との間に配置された蓄熱材と、を備えることを特徴とする請求項１に記載の壁構造。
【請求項３】
前記蓄熱材は、蓄熱用カプセルが封入されたマット状に形成されていることを特徴とする請求項１または２に記載の壁構造。
【請求項４】
前記蓄熱材は、断熱材の所定領域に部分的に配置されていることを特徴とする請求項１ないし３のいずれかに記載の壁構造。
【請求項５】
前記表面材が浴室の室内側に位置して浴室内の温度が低下した際に、前記蓄熱材で蓄えられた熱が浴室内に放出されることを特徴とする請求項１ないし４のいずれかに記載の壁構造。
【発明の詳細な説明】
【技術分野】
【０００１】
本発明は、浴室等の水廻り空間の断熱壁パネルとして好適な壁構造に関する。
【背景技術】
【０００２】
従来、浴室の壁構造（壁パネル）としては、例えば図５に示すように、表面材１０２の裏面側に合板１０３を配置すると共に、この合板１０３と裏面材１０５との間に、発泡ポリスチロール、発泡ウレタン等の熱貫流抵抗値の大きい断熱材１０４を、２０ｍｍ〜２５ｍｍ程度の厚みを有して配置したものが知られている。なお、この種の壁構造は、例えば特許文献１に開示されている。
【特許文献１】特開２００１−３５１３号公報
【発明の開示】
【発明が解決しようとする課題】
【０００３】
しかしながら、このような壁パネル１０１においては、断熱材１０４の厚みを２０ｍｍ〜２５ｍｍに設定して所望の断熱性能を確保しているため、所定の浴室外寸法に対して前記厚みの２倍分（４０ｍｍ〜５０ｍｍ）の壁寸法が必要となり、断熱材１０４を使用しない壁パネルに比べて浴室内寸法が小さくなってしまう。そこで、壁パネル１０１自体の厚みｔを薄くするために断熱材１０４の厚みを薄くすることも考えられるが、この場合、断熱性能が断熱材１０４の熱貫流抵抗値と厚みで決定されることから、断熱材１０４の厚みｔを薄くすることに自ずと限界があって、断熱性能を所定に確保しつつ壁パネル１０１の厚みｔを薄くすることが現実的に困難である。
【０００４】
本発明は、このような事情に鑑みてなされたもので、その目的は、壁の厚みを薄くした状態でも十分な断熱効果が得られて、室内寸法をより大きく設定し得る壁構造を提供することにある。
【課題を解決するための手段】
【０００５】
かかる目的を達成すべく、本発明のうち請求項１に記載の発明は、表面材と、該表面材の裏側に配置され表面材より熱貫流抵抗値の大きい断熱材と、該断熱材と表面材との間に配置された蓄熱材と、を備えることを特徴とする。また、請求項２に記載の発明は、前記断熱材の裏側に配置され断熱材より熱貫流抵抗値の小さい裏面材と、該裏面材と断熱材との間に配置された蓄熱材と、を備えることを特徴とする。
【０００６】
そして、前記蓄熱材は、請求項３に記載の発明のように、蓄熱用カプセルが封入されたマット状に形成されていることが好ましく、また、前記蓄熱材は、請求項４に記載の発明のように、断熱材の所定領域に部分的に配置されていることが好ましい。さらに、請求項５に記載の発明のように、前記表面材が浴室の室内側に位置して浴室内の温度が低下した際に、前記蓄熱材で蓄えられた熱が浴室内に放出されることが好ましい。
【発明の効果】
【０００７】
本発明のうち請求項１に記載の発明によれば、表面材の裏側に該表面材より熱貫流抵抗値の大きい断熱材が配置され、この断熱材と表面材との間に蓄熱材が配置されているため、蓄熱材で蓄えられた熱を熱貫流抵抗値の低い表面材側に放出できる等、壁の厚みを薄くした状態でも十分な断熱効果が得られて、室内寸法をより大きく設定することができる。
【０００８】
また、請求項２に記載の発明によれば、請求項１に記載の発明の効果に加え、断熱材の裏側に該断熱材より熱貫流抵抗値の小さい裏面材が配置され、この裏面材と断熱材との間に蓄熱材が配置されているため、蓄熱材で蓄えられた熱を熱貫流抵抗値の小さい裏面材側にも放出することができる。
【０００９】
また、請求項３に記載の発明によれば、請求項１または２に記載の発明の効果に加え、蓄熱材が蓄熱用カプセルを封入したマット状に形成されているため、蓄熱材を表面材と断熱材との間等に厚さを薄くした状態で配置できて、壁自体の厚さを一層薄くすることができる。
【００１０】
また、請求項４に記載の発明によれば、請求項１ないし３に記載の発明の効果に加え、蓄熱材が断熱材の所定領域に部分的に配置されているため、例えば蓄熱材を断熱材の上部領域に部分的に配置することで、壁の所定部分のみに蓄熱効果を持たせることができる等、壁の用途に応じた適切な蓄熱効果を得ることができる。
【００１１】
さらに、請求項５に記載の発明によれば、請求項１ないし４に記載の発明の効果に加え、表面材が浴室の室内側に位置して浴室内の温度が低下した際に、蓄熱材で蓄えられた熱が浴室内に放出されるため、壁により浴室内の保温性能の向上が図れて、浴室の壁として好適に使用することができる。
【発明を実施するための最良の形態】
【００１２】
以下、本発明の実施の形態を図面に基づいて詳細に説明する。
図１及び図２は、本発明に係わる壁構造を適用した浴室用の壁パネルの一実施形態を示し、図１がその一部を破断した斜視図、図２がその要部の断面図である。
【００１３】
図１及び図２に示すように、浴室用の壁パネル１は、浴室（図示せず）の室内側に位置する表面材２と、この表面材２の裏側（裏面側）の全面に亘って配置された蓄熱材３と、この蓄熱材３の裏側の外周縁部の全周に亘って設けられその周面に凹溝４ａを有する枠状の芯材４と、この芯材４で形成される空間内に配置された断熱材５とで構成され、表面材２と蓄熱材３及び断熱材５がサンドイッチ構造となっている。この時、壁パネル１の厚みｔは、例えば１０ｍｍ〜１５ｍｍに設定されている。
【００１４】
前記表面材２は、例えばＦＲＰ、ＡＢＳ、ＰＰ等の樹脂板によって形成され、その表面には所定の化粧が施されている。また、前記断熱材５は、例えば発泡ＰＳや発泡ウレタン等によって形成されて、その熱貫流抵抗値が表面材２よりも大きく設定され、前記芯材４は、例えば樹脂や木材によって枠組み形成されている。また、前記蓄熱材３は、熱貯蔵媒体が収容されたマイクロカプセル（図示せず）をマット状（シート状）に成形（封入）したものが使用され、マイクロカプセル内の熱貯蔵媒体によって熱が貯蔵（蓄熱）されるようになっている。なお、この壁パネル１においては、断熱材５の裏面側はそのままでも良いし、例えば図２の二点鎖線で示すように、樹脂板等の薄板からなる裏面材６を配置しても良い。
【００１５】
このように構成された壁パネル１は、例えば２枚の壁パネル１を前記芯材４の凹溝４ａを利用して幅方向に連設することで浴室の１つの壁面が形成され、４つの壁面を平面視で方形状に連設することにより浴室の壁が形成される。この時、各壁パネル１は、壁パネル１自体の厚みｔが前述したように１０ｍｍ〜１５ｍｍに設定されていることから、浴室の室内寸法が従来の壁パネル１０１を使用した場合に比較して１０ｍｍ程度薄くなり、浴室内の寸法が大きくなっている。
【００１６】
そして、この状態で浴室が使用されて室内の温度が室外より高くなると、室内の熱が図２の矢印イの如く表面材２を貫流して蓄熱材３で蓄えられる。この蓄熱材３で蓄えられた熱は、室内の温度が所定温度まで低くなると、図２の矢印ロの如く表面材２を貫流して室内側に放出される。この時、断熱材５の熱貫流抵抗値が表面材２よりも大きく設定されていることから、蓄熱材３に蓄えられている熱が、断熱材５側ではなく表面材２を貫流して浴室内に効率的に放出されることになる。これにより、例えば冬場における未使用時の浴室内の温度低下を抑制できて、家族全員が所定温度の浴室内で快適に入浴できることになる。
【００１７】
このように、上記実施形態の壁パネル１にあっては、表面材２の裏側にこの表面材２より熱貫流抵抗値の大きい断熱材５が配置され、この断熱材５と表面材２との間に蓄熱材３が配置されているため、蓄熱材３で蓄えられた熱を断熱材５よりも熱貫流抵抗値の低い表面材２側に放出することができて、壁パネル１の厚みｔを例えば１０ｍｍ程度薄くした状態でも壁パネル１に十分な断熱効果を得ることができると共に、浴室の室内寸法を合計２０ｍｍ程度大きくすることができて、使い勝手等に優れた浴室を得ることが可能となる。
【００１８】
また、蓄熱材３が熱貯蔵媒体が封入されたマイクロカプセルによりマット状（シート状）に形成されて、表面材２と断熱材５の全域（全面）に配置されているため、蓄熱材３を表面材２と断熱材５との間に厚さを薄くした状態で配置できて、壁パネル１自体の厚さｔを一層薄くすることができると共に、壁パネル１自体に十分な蓄熱効果を得ることができる。その結果、この壁パネル１を浴室の壁面として使用することで、浴室内の温度が低下した際に蓄熱材３で蓄熱した熱を浴室内に効率的に放出することができて、浴室の保温性能の向上が図れ、快適な浴室を得ること等が可能となる。
【００１９】
図３及び図４は、本発明に係わる壁パネルのそれぞれ他の実施形態を示す図２と同様の断面図である。なお、上記実施形態と同一部位には、同一符号を付して説明する。先ず、図３に示す壁パネル１の特徴は、前記断熱材５の外側（裏面側）に蓄熱材３を介して裏面材６を配置、すなわち断熱材５の表裏面に蓄熱材３をそれぞれ配置するようにした点にある。この実施形態においても、断熱材５の熱貫流抵抗値を表面材２や裏面材６よりも大きく設定することにより、上記実施形態と同様の作用効果が得られる他に、次のような作用効果を得ることができる。
【００２０】
すなわち、断熱材５の熱貫流抵抗値を裏面材６より大きく設定することで、矢印ハの如く室外側から貫流して蓄熱材３に蓄えられた熱を、矢印ニの如く室外側に戻すことができ、室外の温度の室内側への影響を抑えて断熱材５による断熱効果を一層向上させることができる。また、両蓄熱材３の性能（蓄熱温度や蓄熱量等）に違いを持たせるようにすれば、壁パネル１の表裏における蓄熱効果を異ならせることができて、室内の温度（断熱材５の断熱効果）を所望に維持でき、各種室内への適用が可能となる。
【００２１】
また、図４に示す壁パネル１の特徴は、壁パネル１の所定位置に蓄熱材３を部分的に配置した点にある。すなわち、例えば浴室用の壁パネル１の場合は、浴室内の暖かく上昇した空気により温度が高くなり易い壁パネル１の天井側の上部に蓄熱材３を配置し、温度が低くなり易い床面側の下部には蓄熱材３を配置しない構造とする。
【００２２】
この構造においても、上部に配置した蓄熱材３により、浴室内の保温効果を高めることができると共に、蓄熱材３を温度の高い天井側に配置することで、蓄熱材３への蓄熱効果を一層高めることができると共に、比較的高価な蓄熱材３の使用量を減らして安価な壁パネル１が得られる等の作用効果を奏することができる。このように、本発明に係わる蓄熱材３は、その厚みや性能、配置する面積（領域）等、室内に要求される保温効果等に応じて適宜に変更することができる。
【００２３】
なお、上記実施形態においては、表面材２や蓄熱材３の外周縁部に連結用の凹溝４ａを有する芯材４を配置した壁パネル１について説明したが、本発明はこの構成に限定されず、例えば外周縁部に単なる枠材を配置した壁パネルであっても良いし、表面材２や蓄熱材３の厚み等も本発明に係わる各発明の要旨を逸脱しない範囲において適宜に変更することができる。
【産業上の利用可能性】
【００２４】
本発明は、浴室の壁パネルへの利用に限らず、シャワールームやサウナルーム、洗面室やトイレあるいはキッチン等の各種水回り空間の壁パネルとしても利用できる。
【図面の簡単な説明】
【００２５】
【図１】本発明に係わる壁構造を適用した浴室用の壁パネルの一実施形態を示す斜視図
【図２】同その断面図
【図３】本発明に係わる壁パネルの他の実施形態を示す断面図
【図４】本発明に係わる壁パネルのさらに他の実施形態を示す断面図
【図５】従来の壁パネルの断面図
【符号の説明】
【００２６】
１・・・壁パネル、２・・・表面材、３・・・蓄熱材、４・・・芯材、４ａ・・・凹溝、５・・・断熱材、６・・・裏面材。
【図１】
2007107247.tif 000003
【図２】
2007107247.tif 000004
【図３】
2007107247.tif 000005
【図４】
2007107247.tif 000006
【図５】
2007107247.tif 000007